(57)【特許請求の範囲】
【請求項１】
曲データを再生する再生装置と、
前記再生装置による再生が予約された曲データの再生順序である予約曲リストを示す予約曲リストデータを記憶する予約曲リストデータメモリを有し、前記予約曲リストデータメモリに記憶された予約曲リストデータに示される再生順序に従って前記再生装置に曲データを再生させる制御装置と、
前記予約曲リストデータメモリに記憶された予約曲リストデータにより示される予約曲リストを画面に表示するモニタと、
前記制御装置を遠隔操作する送信器と、
を有するカラオケ装置が複数の部屋のそれぞれに備えられており、前記各カラオケ装置間が通信回線により接続されたカラオケシステムにおいて、
前記各カラオケ装置に備えられた各送信器には、送信器により遠隔操作されるカラオケ装置を他のカラオケ装置と識別するためのＩＤコードがそれぞれ設定されており、かつ、前記各送信器には、前記ＩＤコードを示すＩＤコードデータを送信する手段と、前記モニタに表示された予約曲リストの中から所定の予約曲を選択する手段とが備えられており、
ある部屋から他の部屋へ移動し、その移動した部屋のカラオケ装置によってカラオケを行う場合において、移動先の部屋に備えられたカラオケ装置を要求側とし、移動する前の部屋に備えられたカラオケ装置を応答側とした場合に、
前記要求側である場合の前記各カラオケ装置の各制御装置は、
前記応答側に備えられた送信器から、その送信器の前記ＩＤコードデータを受信したときに、その受信したＩＤコードデータを前記通信回線を介して前記応答側の制御装置へ送信する要求側第１送信処理と、
前記応答側の制御装置に備えられた予約曲リストデータメモリに記憶された予約曲リストデータを前記通信回線を介して送信するように要求するための要求信号を前記通信回線を介して前記応答側の制御装置へ送信する要求側第２送信処理と、
前記応答側の制御装置に備えられた予約曲リストデータメモリに記憶された予約曲リストデータを前記通信回線を介して受信する要求側第１受信処理と、
前記要求側第１受信処理により受信された予約曲リストデータに対応する予約曲リストを、自身に接続されたモニタの画面に表示する要求側第１表示処理と、
前記要求側第１表示処理により前記モニタに表示された予約曲リストのうち、前記ＩＤコードデータを送信した送信器により選択された予約曲のリストを示す選択リストデータを前記通信回線を介して前記応答側の制御装置へ送信する要求側第３送信処理と、
前記要求側第３送信処理により前記応答側の制御装置へ送信された選択リストデータであって、前記応答側の制御装置が実行する応答側第２判定処理において転送が許可された選択リストデータを前記応答側の制御装置から前記通信回線を介して受信する要求側第２受信処理と、
前記要求側第２受信処理により受信された選択リストデータを、自身に備えられた予約曲リストデータメモリに記憶することにより、前記要求側第２受信処理により受信された選択リストデータにより示される予約曲を、自身に備えられた予約曲リストデータメモリに記憶された予約曲リストに追加する要求側記憶処理と、
前記要求側記憶処理が実行された予約曲リストデータに示される予約曲リストを、自身に接続されたモニタの画面に表示する要求側第２表示処理と、
前記要求側第２表示処理により前記モニタの画面に表示された予約曲リストに示される再生順序に従って、自身が制御する再生装置に曲を再生させる処理と、
をそれぞれ実行し、
前記応答側である場合の前記各制御装置は、
前記要求側第１送信処理により、前記要求側の制御装置から送信されたＩＤコードデータを受信する応答側第１受信処理と、
前記応答側第１受信処理により受信されたＩＤコードデータが、自身に登録されているＩＤコードデータと一致するか否かを判定する応答側第１判定処理と、
前記応答側第１判定処理において肯定判定した場合に、前記要求側第２送信処理により、前記要求側の制御装置から送信された要求信号を受信する応答側第２受信処理と、
前記応答側第２受信処理により要求信号が受信された場合に、自身に備えられた予約曲リストデータメモリに記憶されている予約曲リストデータを前記通信回線を介して前記要求側の制御装置へ送信する応答側第１送信処理と、
前記要求側第３送信処理により、前記要求側の制御装置から送信された選択リストデータを受信する応答側第３受信処理と、
前記応答側第３受信処理により受信された選択リストデータに対応する選択リストを、自身に接続されたモニタの画面に表示する応答側表示処理と、
前記応答側表示処理により前記モニタの画面に表示された選択リストに対応する選択リストデータを前記要求側の制御装置へ転送してよいか否かを判定する応答側第２判定処理と、
前記応答側第２判定処理において肯定判定した場合に、前記応答側第３受信処理により受信された選択リストデータを前記通信回線を介して前記要求側の制御装置へ送信する応答側第２送信処理と、
をそれぞれ実行することを特徴とするカラオケシステム。
【請求項２】
前記応答側である場合の前記各制御装置は、
前記応答側第２送信処理が実行された場合に、その応答側第２送信処理により前記要求側の制御装置へ送信した選択リストデータに対応するデータを、自身に備えられた予約曲リストデータから消去する応答側消去処理をそれぞれ実行することを特徴とする請求項１に記載のカラオケシステム。
【請求項３】
前記各カラオケ装置が有する各曲データ再生装置には、
曲データ再生手段により再生される曲データにより示される曲の少なくとも音程を含む再生状態を調整する再生状態調整手段と、
前記再生状態調整手段により調整された再生状態を示す再生状態情報を記憶する再生状態情報記憶手段と、がそれぞれ備えられており、
前記応答側である場合の前記各制御装置は、
前記応答側第１送信処理を実行する場合に、自身が制御する曲データ再生手段の再生状態記憶手段に記憶されている再生状態情報を前記通信回線を介して前記要求側の制御装置へ送信する応答側第３送信処理をそれぞれ実行し、
前記要求側である場合の前記各制御装置は、
前記要求側第１受信処理を実行する場合に、前記応答側第３送信処理により前記応答側の制御装置から送信された再生状態情報を受信する要求側第３受信処理と、
前記要求側に備えられた曲データ再生装置の再生状態を、前記要求側第３受信処理により受信された再生状態情報により示される再生状態に変更するか否かを判定する要求側判定処理と、
前記要求側判定処理において肯定判定した場合に、前記要求側に備えられた曲データ再生装置の再生状態を、前記要求側第３受信処理により受信された再生状態情報により示される再生状態に変更する要求側再生状態変更処理と、
をそれぞれ実行することを特徴とする請求項１または請求項２に記載のカラオケシステム。
【発明の詳細な説明】
【０００１】
【発明の属する技術分野】
この発明は、曲データを再生するカラオケ装置が複数の部屋に備えられたカラオケシステムであって、各部屋にカラオケ装置が備えられたカラオケＢＯＸで用いるカラオケシステムとして好適なものに関する。
【０００２】
【従来の技術】
従来、上記カラオケシステムとしては、複数の部屋に備えられたカラオケ装置と、カラオケＢＯＸの管理室に設けられたサーバーとが通信回線により接続されており、カラオケ装置から送信されるリクエスト信号を受信したサーバーが、そのリクエスト信号により示される選曲番号に対応する曲データをハードディスクメモリから読出して、その曲データを上記リクエスト信号を送信したカラオケ装置へ送信するものが知られている。
【０００３】
【発明が解決しようとする課題】
ところで、多数人で上記カラオケＢＯＸへ行った場合、全員が１つの部屋に入りきれないため、複数の部屋に分かれてカラオケする場合がある。
このような場合、他の部屋と交流を図るため、部屋間を行き来することが多いが、自分がいた部屋で予約した曲を自分が歌う順番になった場合に、自分のいた部屋へ戻って歌うか、移動した部屋で再度選曲して歌わなければならない。
つまり、上記従来のものでは、ある部屋で予約した曲を他の部屋で歌う場合には、再度選曲しなければならないという問題がある。
【０００４】
そこで、本発明は、ある部屋のカラオケ装置で予約した曲を他の部屋のカラオケ装置で選曲し直すことなく再生できるカラオケシステムの実現を目的とする。
【０００５】
【課題を解決するための手段】
本発明は、上記目的を達成するため、請求項１に記載の発明では、曲データを再生する再生装置と、前記再生装置による再生が予約された曲データの再生順序である予約曲リストを示す予約曲リストデータを記憶する予約曲リストデータメモリを有し、前記予約曲リストデータメモリに記憶された予約曲リストデータに示される再生順序に従って前記再生装置に曲データを再生させる制御装置と、前記予約曲リストデータメモリに記憶された予約曲リストデータにより示される予約曲リストを画面に表示するモニタと、前記制御装置を遠隔操作する送信器と、を有するカラオケ装置が複数の部屋のそれぞれに備えられており、前記各カラオケ装置間が通信回線により接続されたカラオケシステムにおいて、前記各カラオケ装置に備えられた各送信器には、送信器により遠隔操作されるカラオケ装置を他のカラオケ装置と識別するためのＩＤコードがそれぞれ設定されており、かつ、前記各送信器には、前記ＩＤコードを示すＩＤコードデータを送信する手段と、前記モニタに表示された予約曲リストの中から所定の予約曲を選択する手段とが備えられており、ある部屋から他の部屋へ移動し、その移動した部屋のカラオケ装置によってカラオケを行う場合において、移動先の部屋に備えられたカラオケ装置を要求側とし、移動する前の部屋に備えられたカラオケ装置を応答側とした場合に、前記要求側である場合の前記各カラオケ装置の各制御装置は、前記応答側に備えられた送信器から、その送信器の前記ＩＤコードデータを受信したときに、その受信したＩＤコードデータを前記通信回線を介して前記応答側の制御装置へ送信する要求側第１送信処理と、前記応答側の制御装置に備えられた予約曲リストデータメモリに記憶された予約曲リストデータを前記通信回線を介して送信するように要求するための要求信号を前記通信回線を介して前記応答側の制御装置へ送信する要求側第２送信処理と、前記応答側の制御装置に備えられた予約曲リストデータメモリに記憶された予約曲リストデータを前記通信回線を介して受信する要求側第１受信処理と、前記要求側第１受信処理により受信された予約曲リストデータに対応する予約曲リストを、自身に接続されたモニタの画面に表示する要求側第１表示処理と、前記要求側第１表示処理により前記モニタに表示された予約曲リストのうち、前記ＩＤコードデータを送信した送信器により選択された予約曲のリストを示す選択リストデータを前記通信回線を介して前記応答側の制御装置へ送信する要求側第３送信処理と、前記要求側第３送信処理により前記応答側の制御装置へ送信された選択リストデータであって、前記応答側の制御装置が実行する応答側第２判定処理において転送が許可された選択リストデータを前記応答側の制御装置から前記通信回線を介して受信する要求側第２受信処理と、前記要求側第２受信処理により受信された選択リストデータを、自身に備えられた予約曲リストデータメモリに記憶することにより、前記要求側第２受信処理により受信された選択リストデータにより示される予約曲を、自身に備えられた予約曲リストデータメモリに記憶された予約曲リストに追加する要求側記憶処理と、前記要求側記憶処理が実行された予約曲リストデータに示される予約曲リストを、自身に接続されたモニタの画面に表示する要求側第２表示処理と、前記要求側第２表示処理により前記モニタの画面に表示された予約曲リストに示される再生順序に従って、自身が制御する再生装置に曲を再生させる処理と、をそれぞれ実行し、前記応答側である場合の前記各制御装置は、前記要求側第１送信処理により、前記要求側の制御装置から送信されたＩＤコードデータを受信する応答側第１受信処理と、前記応答側第１受信処理により受信されたＩＤコードデータが、自身に登録されているＩＤコードデータと一致するか否かを判定する応答側第１判定処理と、前記応答側第１判定処理において肯定判定した場合に、前記要求側第２送信処理により、前記要求側の制御装置から送信された要求信号を受信する応答側第２受信処理と、前記応答側第２受信処理により要求信号が受信された場合に、自身に備えられた予約曲リストデータメモリに記憶されている予約曲リストデータを前記通信回線を介して前記要求側の制御装置へ送信する応答側第１送信処理と、前記要求側第３送信処理により、前記要求側の制御装置から送信された選択リストデータを受信する応答側第３受信処理と、前記応答側第３受信処理により受信された選択リストデータに対応する選択リストを、自身に接続されたモニタの画面に表示する応答側表示処理と、前記応答側表示処理により前記モニタの画面に表示された選択リストに対応する選択リストデータを前記要求側の制御装置へ転送してよいか否かを判定する応答側第２判定処理と、前記応答側第２判定処理において肯定判定した場合に、前記応答側第３受信処理により受信された選択リストデータを前記通信回線を介して前記要求側の制御装置へ送信する応答側第２送信処理と、をそれぞれ実行するという技術的手段を採用する。
【０００６】
請求項２に記載の発明では、請求項１に記載のカラオケシステムにおいて、前記応答側である場合の前記各制御装置は、前記応答側第２送信処理が実行された場合に、その応答側第２送信処理により前記要求側の制御装置へ送信した選択リストデータに対応するデータを、自身に備えられた予約曲リストデータから消去する応答側消去処理をそれぞれ実行するという技術的手段を採用する。
【０００７】
請求項３に記載の発明では、請求項１または請求項２に記載のカラオケシステムにおいて、前記各カラオケ装置が有する各曲データ再生装置には、曲データ再生手段により再生される曲データにより示される曲の少なくとも音程を含む再生状態を調整する再生状態調整手段と、前記再生状態調整手段により調整された再生状態を示す再生状態情報を記憶する再生状態情報記憶手段と、がそれぞれ備えられており、前記応答側である場合の前記各制御装置は、前記応答側第１送信処理を実行する場合に、自身が制御する曲データ再生手段の再生状態記憶手段に記憶されている再生状態情報を前記通信回線を介して前記要求側の制御装置へ送信する応答側第３送信処理をそれぞれ実行し、前記要求側である場合の前記各制御装置は、前記要求側第１受信処理を実行する場合に、前記応答側第３送信処理により前記応答側の制御装置から送信された再生状態情報を受信する要求側第３受信処理と、前記要求側に備えられた曲データ再生装置の再生状態を、前記要求側第３受信処理により受信された再生状態情報により示される再生状態に変更するか否かを判定する要求側判定処理と、前記要求側判定処理において肯定判定した場合に、前記要求側に備えられた曲データ再生装置の再生状態を、前記要求側第３受信処理により受信された再生状態情報により示される再生状態に変更する要求側再生状態変更処理と、をそれぞれ実行するという技術的手段を採用する。
【０００８】
【０００９】
【００１０】
【００１１】
【００１２】
【００１３】
【作用】
請求項１ないし請求項３に記載の発明によれば、上記の技術的手段をそれぞれ備えるため、ある部屋のカラオケ装置（応答側）の予約曲リストデータメモリに記憶されている予約曲リストデータを通信回線を介して他の部屋のカラオケ装置（要求側）へ送信するとともに、そのカラオケ装置の予約曲リストデータメモリに記憶し、この予約曲リストデータメモリに記憶された予約曲リストデータにより示される再生順序にしたがって曲データを再生することができる。
たとえば、後述する発明の実施の形態に記載するように、Ａ室のカラオケ装置において予約した予約曲リストデータをＢ室のカラオケ装置へ送信して予約することができるため、Ａ室で歌おうとしていた曲をＢ室のカラオケ装置で歌うことができる。
【００１４】
特に、上記ある部屋のカラオケ装置（応答側）に備えられた送信器を持って上記他の部屋へ移動し、その持ってきた送信器が遠隔操作する上記ある部屋のカラオケ装置を他のカラオケ装置と識別するためのＩＤコードを通信回線を介して上記他の部屋のカラオケ装置（要求側）から上記ある部屋のカラオケ装置へ送信すると、上記ある部屋のカラオケ装置は、受信したＩＤコードが登録されたものであるか否かを判定し、肯定判定した場合に、自身の予約曲リストデータメモリに記憶されている予約曲リストデータを上記他の部屋のカラオケ装置へ送信する。
つまり、ある部屋のカラオケ装置に記憶されている予約曲リストデータを他の部屋のカラオケ装置へ送信する場合、上記他の部屋から上記ある部屋へ送信されるＩＤコードが予め上記ある部屋のカラオケ装置に設定されたＩＤコードであると判定された場合に、上記ある部屋のカラオケ装置が、自身の予約曲リストデータを上記他の部屋のカラオケ装置へ送信する。
たとえば、後述する発明の実施の形態に記載するように、Ａ室のカラオケ装置に備えられた送信器を持ってＢ室へ移動し、その送信器によってＢ室のカラオケ装置を遠隔操作することにより、Ａ室のカラオケ装置において予約していた予約曲リストデータをＢ室のカラオケ装置へ転送させる場合、Ａ室で使用していた送信器でなければ、Ａ室の予約曲リストデータをＢ室へ転送できないようにすることができるため、誤ってＡ室以外の部屋の予約曲リストデータがＢ室へ転送されるのを防止することができる。
【００１５】
また、上記他の部屋のカラオケ装置（要求側）には、上記ある部屋のカラオケ装置（応答側）から送信された予約曲リストデータにより示される予約曲リストを表示するモニタが備えられているため、他の部屋へ移動する前に上記ある部屋において予約していた予約曲を知ることができる。
たとえば、後述する発明の実施の形態に記載するように、Ａ室から転送された予約リストデータをＢ室のモニタにより見ることができるため、予約リストデータがＡ室からＢ室へ正確に転送されたかを確認することができる。
【００１６】
さらに、上記ある部屋のカラオケ装置（応答側）に備えられた送信器には、上記ある部屋のカラオケ装置（応答側）から送信され、上記他の部屋のモニタに表示された予約曲リストのうち、上記他の部屋のカラオケ装置（要求側）に再生させる予約曲を選択することができる。また、上記他の部屋のカラオケ装置（要求側）は、上記選択した予約曲を、自身の予約曲リストに追加して記憶することができる。
従って、上記ある部屋のカラオケ装置において予約していた予約曲の中から選択した予約曲を上記他の部屋のカラオケ装置によってカラオケすることができる。
【００１７】
請求項２に記載の発明によれば、ある部屋のカラオケ装置（応答側）は、他の部屋のカラオケ装置（要求側）へ送信した予約曲リストのうち、上記他の部屋へ移動した者が操作する送信器によって選択されたために、上記ある部屋のカラオケ装置において再生する必要のなくなった予約曲を消去することができる。
たとえば、後述する発明の実施の形態に記載するように、Ａ室で予約した曲のうち、必要な曲の予約のみを行い、不要な曲の予約を取り消すことができる。
【００１８】
【００１９】
請求項３に記載の発明では、少なくとも音程を含む再生状態を示す再生状態情報が再生状態情報記憶手段に記憶されており、この再生状態情報記憶手段に記憶されている再生状態情報は、ある部屋のカラオケ装置（応答側）により、予約曲リストが他の部屋のカラオケ装置（要求側）へ送信される場合に他の部屋のカラオケ装置へ送信される。そして、他の部屋のカラオケ装置の再生装置の再生状態は、受信された再生状態情報により示される再生状態に変更される。
つまり、ある部屋の楽音再生装置から他の部屋へ予約曲リストが送信される際に、上記ある部屋のカラオケ装置による少なくとも音程を含む再生状態を示す再生状態情報が上記他の部屋のカラオケ装置へ送信され、そのカラオケ装置の再生状態が、上記ある部屋のカラオケ装置の再生状態に変更される。
たとえば、後述する発明の実施の形態に記載するように、Ｂ室のアンプの音程、エコー、ディレイおよび音量のレベルをＡ室のアンプに設定されているレベルと同じレベルに自動的に設定することができる。
【００２０】
【発明の実施の形態】
以下、本発明のカラオケシステムの実施形態について図を参照して説明する。
なお、以下の実施形態では、カラオケシステムの一例として、カラオケ装置が設置された部屋を複数有する、いわゆるカラオケＢＯＸで用いられるカラオケシステムを代表に説明する。また、カラオケ装置としては、通信回線を介して曲が提供される、いわゆる通信カラオケ装置が用いられるものとする。
【００２１】
まず、上記カラオケシステムの主要構成について、それを示す図１を参照して説明する。
図１に示すように、カラオケシステム１は、ＡないしＪまでの１０室の部屋２，２・・を有し、各部屋２には、楽音再生装置たるカラオケ装置１０がそれぞれ設置されている（図２参照）。各カラオケ装置１０には、ＬＡＮボード５４がそれぞれ備えられており、各ＬＡＮボード５４は、それぞれＨＵＢ４を介して通信回線５に接続されており、この通信回線５は、管理室３に備えられたＨＵＢ４に接続されている。
【００２２】
その管理室３に備えられたＨＵＢ４は、楽曲情報たる曲データの配信などを行うサーバー５２に備えられたＬＡＮボード５４に接続されている。サーバー５２は、図示しないコンピュータを備えており、後述するように、カラオケ装置１０からのリクエスト信号に応えての曲データを送信する。サーバー５２には、曲データが蓄積されたハードディスクメモリから曲データを読出すハードディスクドライブ（以下、ＨＤＤと略称する）６と、曲データの蓄積状態などをＣＲＴにより表示するモニタ７とが接続されている。
【００２３】
次に、カラオケ装置１０の主要構成について、それを示す図２を参照して説明する。
図２に示すように、カラオケ装置１０には、カラオケ用の背景映像、歌詞を示す歌詞映像、曲の予約状況を示す映像などをＣＲＴに表示するモニタ１２と、歌い手のモニタ用のモニタ１４とが備えられている。また、通信回線５を介しての曲データの受信、選曲、曲の予約、他の部屋との予約曲リストデータの送受信、表示手段たるモニタ１２，１４に表示される映像の切替え、合成、分割などの各種制御を行う制御装置２０が備えられている。
【００２４】
さらに、マイクロフォン１７，１８から入力される音声と楽曲たるカラオケ曲とのミキシング、音声とカラオケ曲との音量バランス、エコー調整、ディレイ調整、ミキシング信号の増幅、演奏される曲の音程制御（キーコントロール）、高音、低音の制御（トーンコントロール）などを行うアンプ１６と、このアンプ１６から出力される増幅信号を音として再生するフロアータイプの１組のスピーカ１１，１１と、天井用の１組のスピーカ１３，１３と、制御装置２０を遠隔操作する送信器７０とが備えられている。
なお、アンプ１６、スピーカ１１，１１およびスピーカ１３，１３が、本発明の再生装置に相当する。
【００２５】
次に、制御装置２０の装備について図３を参照して説明する。
図３（Ａ）は、制御装置２０の前面パネルの説明図、同図（Ｂ）は、制御装置２０の背面パネルの説明図である。
図３（Ａ）に示すように、制御装置２０の前面パネルには、選曲する曲の番号の入力などを行うための０〜９のボタンからなるテンキー２１と、制御装置２０を選曲可能状態にし、また、選曲を確定するための選曲ボタン２２とが設けられており、テンキー２１の上には、選曲された曲の番号を５桁の数字でＬＥＤ表示する選曲番号表示体２３が設けられている。
【００２６】
また、選曲番号表示体２３の左には、演奏が予約されている曲の数をＬＥＤ表示する予約曲数表示体２４が設けられており、その下には、予約の取消を行うための取り消しボタン２５と、演奏を停止させる演奏停止ボタン２６と、歌っている途中で最初から歌い直すための歌い直しボタン２７と、予約曲の間に割り込んで予約するための割り込みボタン２８とが設けられている。さらに、前面パネルの左上には、送信器７０から送信される光信号を受光する受光部３８が設けられており、左下には、制御装置２０の電源を立ち上げる電源ボタン３９が設けられている。
【００２７】
また、テンキー２１の右には、ボーカルのメロディーラインの音量を設定するボーカルボタン３２と、２コーラス目までを再生する２コーラスカットボタン３３と曲の後奏部分をカットする後奏カットボタン３４とが設けられている。
さらに、その下には、カラオケを行うモードとカラオケを行わないモードとに切り替えるカラオケ切替ボタン３５と、通信回線５を介して入力されるデータを曲データからＢＧＭ、有線放送、テレビ放送などに切り替える入力切替ボタン３６と、ＣＲＴ１２，１４の表示をカラオケ店が提供しているサービス情報の表示に切り替えるサービスボタン３７とが設けられている。
【００２８】
また、図３（Ｂ）に示すように、制御装置２０の背面パネルには、曲データを保有するサーバー５２（図１参照）から配信される曲データを受信する通信回線５を接続する通信端子４０が設けられており、この通信端子４０の右方には、アンプ１６の音声入力端子１６ｊ（図６参照）と接続される音声出力端子４１と、アンプ１６の入出力端子１６ｈ（図６参照）と接続される入出力端子４２と、モニタ１２の映像入力端子（図示省略）と接続される映像出力端子４３と、モニタ１４の映像入力端子（図示省略）と接続される映像出力端子４４とが設けられている。
【００２９】
次に、上記制御装置２０の制御系の構成について、それをブロック図で示す図４を参照して説明する。
制御装置２０には、曲データの送信要求、選曲、音声制御、映像制御、曲の演奏順序の予約、演奏順序の変更および他の部屋との予約曲リストデータの送受信などをプログラムにしたがって行うＣＰＵ４５が備えられている。このＣＰＵ４５には、選曲された曲の番号を示す選曲番号データ、予約された曲の選曲番号データおよび他の部屋から送信される予約曲リストデータなどを一時保存する予約曲リストデータメモリたるＲＡＭ４６と、送信器７０から送信されるコマンドに対応する制御コマンドなどが記憶されたＲＯＭ４７と、アンプ１６および他の部屋の制御装置２０から送信される再生状態データ、ＣＰＵ４５による演算結果などを一時保存するＲＡＭ４８と、送信器７０に設定されるＩＤコードを書換可能に記憶するＥＥＰＲＯＭ５０とが接続されている。
【００３０】
また、ＣＰＵ４５には、サーバー５２から通信回線５、通信端子４０およびＬＡＮボード５４を介して入力される曲データを蓄積するＨＤＤ５１が接続されている。このＨＤＤ５１には、上記各制御、後述する各回路の動作制御をＣＰＵ４５に実行させるためのプログラムなどが記録されている。さらに、ＣＰＵ４５には、タイマ５８のカウントにしたがって曲データに含まれるＭＩＤＩデータをＭＩＤＩ音源５７へ書き込む制御を行うシーケンサ５６と、ＭＩＤＩ音源５７から出力される音楽信号を入力してアンプ１６により増幅可能な信号に変換する音声制御回路５５とが接続されている。
【００３１】
また、ＣＰＵ４５には、背景映像が記録されたＣＤ−ＲＯＭを再生するＣＤ−ＲＯＭプレーヤ６０と、このＣＤ−ＲＯＭプレーヤ６０から読出された背景映像データおよびＨＤＤ５１から読出された曲データ中の歌詞映像データを入力し、モニタ１２，１４に表示される映像として、図１６に示すように、背景映像２００中に歌詞映像２０２がスーパーインポーズされた映像を作成したり、歌詞映像２０２にテロップ２０４をかけたりする映像制御回路６１が接続されている。
さらに、ＣＰＵ４５には、受光部３８により受光された光信号をデジタル信号に変換する受光回路６２と、制御装置の前面パネルに設けられた各種ボタンを押したときに点灯するＬＥＤ、選曲番号表示体２３および予約曲数表示体２４へ表示信号を出力する表示回路６３と、上記各種ボタンを押したときに発生するスイッチング信号を入力する入力回路６４とが接続されている。
【００３２】
次に、アンプ１６の構成について図５および図６を参照して説明する。
図５は、アンプ１６の前面パネルの外観を示す説明図であり、図６は、アンプ１６の内部構造の一部を示すブロック図である。
アンプ１６の前面パネルの左上には、電源ボタン１６１が設けられており、その右には、主音量を調整するボリュームつまみ１６２と、演奏の音量を調整する演奏ボリュームつまみ１６３と、演奏とボーカルとの音量バランスを調整するバランスつまみ１６４と、演奏の低音の強弱を調整する低音調整つまみ１６５と、演奏の高音の強弱を調整する高音調整つまみ１６６とが設けられている。
【００３３】
また、高音調整つまみ１６６の右には、マイクロフォン１７から入力される音声にかけるエコーの強弱を調整するエコー調整つまみ１６８と、マイクロフォン１８から入力される音声にかけるエコーの強弱を調整するエコー調整つまみ１６９と、エコーのＯＮ／ＯＦＦを行うエコースイッチ１７０とが設けられている。さらに、ボリュームつまみ１６２の下には、演奏される曲のキーを低くするためのフラットキー２９と、キーを標準にする標準キー３０と、キーを高くするシャープキー３１とが設けられており、その下にはマイクロフォン１７の出力レベルを調整するマイクレベル調整つまみ１７１が設けられており、その右には、マイクロフォン１８の出力レベルを調整するマイクレベル調整つまみ１７２が設けられている。
【００３４】
またさらに、その右方には、マイクロフォン１７，１８から入力される音声にかけるディレイの強弱を調整するディレイ調整レバー１７３と、マイクロフォン１７，１８から入力される音声の低音の強弱を調整する低音調整レバー１７４と、マイクロフォン１７，１８から入力される音声の高音の強弱を調整する高音調整レバー１７５とが設けられており、前面パネルの左下には、マイクロフォン１７のマイクジャックを差し込むマイク端子１７６と、マイクロフォン１８のマイクジャックを差し込むマイク端子１７７とが設けられている。
【００３５】
次に、アンプ１６の内部には、図６に示すように、マイク端子１７６，１７７から入力される音声信号をエコーやディレイなどの効果が掛かった音声信号に変換するエフェクタ回路１６ｅが設けられており、音声入力端子１６ｊには、この音声入力端子１６ｊから入力される音楽信号の音程を制御する音程制御回路１６ｆが接続されている。エフェクタ回路１６ｅから出力される音声信号と、音程制御回路１６ｆから出力される音楽信号とは、ミキシング回路１６ａによりミキシングされ、このミキシング回路１６ａから出力されるミキシング信号は、次段の増幅回路１６ｂにより増幅され、この増幅された増幅信号は、スピーカ端子１６ｃからスピーカ１１，１１およびスピーカ１３，１３へ出力され、これら両スピーカにより再生される。
【００３６】
また、エフェクタ回路１６ｅ、音程制御回路１６ｆおよび増幅回路１６ｂは、制御回路１６ｄから出力される制御信号により制御されており、その制御信号のレベルは、上記各調整つまみおよび調整レバー１６２ないし１７５の操作により変化する。制御回路１６ｄから出力される制御信号は、ＣＰＵ１７８により取り込まれ、その制御信号により示されるレベルの大きさは、制御レベルデータとしてＲＡＭ１７９に一時記憶される。上記各調整つまみおよび調整レバー１６２と制御回路１６ｄとの間には、トランジスタにより構成されるスイッチ１８０が接続されており、このスイッチ１８０は、ＣＰＵ１７８から出力されるスイッチング信号によりＯＮ、または、ＯＦＦする。
【００３７】
次に、送信器７０の構成について図７ないし図１０を参照して説明する。
図７は、送信器７０の表面の外観を示す説明図であり、図８は、送信器７０の裏面の外観を示す説明図である。また、図９は、送信器７０の内部構造の一部を示すブロック図であり、図１０は、送信器７０から送信される送信信号の説明図である。
送信器７０の左上には、制御装置２０の電源をＯＮ、ＯＦＦする電源ボタン７１が設けられており、右上には、曲間や曲の演奏終了後に拍手の音を再生するように設定するための拍手ボタン７２が設けられており、その左には、拍手のモード（種類）を切り替えるモード切替ボタン７３が設けられている。それらボタンの下には、制御装置２０に設けられたボタンと同じ作用を行うボーカルボタン７４と、２コーラスカットボタン７５と、後奏カットボタン７６とが設けられている。
また、それらボタンの下には、制御装置２０に設けられたボタンと同じく、フラットキー７７、標準キー７８、シャープキー７９、テンキー８０、選曲キー８１、演奏停止キー８２、取り消しキー８３、歌い直しキー８４、割り込みキー８５が設けられている。
【００３８】
さらに、送信器７０には、他の部屋のカラオケ装置１０に記憶されている予約曲リストデータの送信要求を行うための送信要求ボタン８６と、モニタ１２，１４に表示された予約曲リストの中で必要な曲を選択する場合に予約曲リスト映像上に掛かっているテロップを画面の上方へ移動させるアップボタン８７と、そのテロップを下方へ移動させるダウンボタン８８と、そのテロップが掛けられた予約曲の選択を確定する際に押す確定ボタン８９と、予約曲の再生順序を入れ替える際に押す入替ボタン９０と、他の部屋のアンプに設定されている音程などの再生状態を再現する際に押す再現ボタン９１とが設けられている。
【００３９】
次に、送信器７０の裏面には、電池の収容部を覆う電池カバー９２が設けられており、その下には、送信器７０により操作されるカラオケ装置１０を他の部屋のカラオケ装置１０と識別するための識別情報たるＩＤコードを設定する設定手段たる設定スイッチ９３が設けられている。この設定スイッチ９３は、１〜７の７個のスライドスイッチから構成されており、上方の「１」の位置へスライドさせた場合は２進法における「１」を示し、下方の「０」の位置へスライドさせた場合は「０」を示す。
つまり、上記７個のスライドスイッチの「１」か「０」の組み合わせにより、各部屋毎に異なるＩＤコードを設定する。
なお、上記設定スイッチ９３は、制御装置２０に設けることもできる。
【００４０】
次に、送信器７０から発信される送信信号１００は、図１０に示すように、ヘッダデータ１０１と、送信器７０の型式を示すカスタムデータ１０２と、上記設定スイッチ９３により設定されるＩＤコードを示すＩＤコードデータ１０３と、どのボタン、または、キーを押したことによる送信信号であるかを示す送信データ１０４とから構成される。
また、送信器７０の内部には、図９に示すように、上記各データが記憶されたＲＯＭ９８と、このＲＯＭ９８から各データの読出しを行うＣＰＵ９５と、その読出されたデータを一時保存するＲＡＭ９７と、電池９６とが設けられている。さらに、ＣＰＵ９５には、ＲＡＭ９７から読出したデータをＬＥＤ９４ａから送信される光信号に変換する変換回路９９が接続されている。
そして、上記各ボタンおよびキーを押したときに、そのボタンまたはキーに対応する信号が、送信部９４に内蔵されたＬＥＤ９４ａから送信される。
【００４１】
次に、ある部屋でカラオケをしている者が、他の部屋へ移動した場合に、自分がいた部屋で予約した曲をその移動した部屋の予約リストに組み込んで再生する場合のカラオケ装置１０の一連の動作について図を参照して説明する。
図１１は、カラオケ装置１０の制御装置２０に備えられたＣＰＵ４５の主な制御内容を示すフローチャートである。図１２は、Ａ室のカラオケ装置で記憶された予約曲リストデータをＢ室のカラオケ装置により受信する場合のＣＰＵ４５の制御内容を示し、左側のフローチャートがＢ室のＣＰＵ４５の制御内容であり、右側のフローチャートがＡ室のＣＰＵ４５の制御内容である。
なお、ここではＡ室からＢ室へ移動したものとする。また、Ａ室のカラオケ装置１０には、図１５（Ａ）に示す予約曲リストが記憶されており、Ｂ室のカラオケ装置１０には、図１５（Ｂ）に示す予約曲リストが記憶されているものとし、Ａ室の予約曲リストの中の第１番目（曲番号２２３３）および第３番目（曲番号１５５５）の２曲の予約曲リストデータをＢ室へ転送するものとする。
【００４２】
まず、Ａ室からＢ室へ移動した者が、Ａ室で使用している送信器７０の発信部９４をＢ室の制御装置２０の受光部３８へ向けて、送信器７０の送信ボタン８６を押すと（ステップ２００）、送信器７０のＲＯＭ９８に記憶されているＩＤコードデータ１０３が読出され、このＩＤコードデータ１０３を有する送信信号１００が送信される（ステップ２１０）。続いて、その送信信号は、制御装置２０の受光部３８により受信されるとともに、受光回路６２によりデジタル信号に変換され、ＬＡＮボード５４から通信端子４０、通信回線５を介してＡ室の制御装置２０により受信される（ステップ３２０）。
【００４３】
そして、Ａ室の制御装置２０に備えられたＣＰＵ４５により、受信した送信信号１００に含まれるＩＤコードデータ１０３が、ＥＥＰＲＯＭ５０に登録されているＩＤコードデータと一致するかが判定され（ステップ３３０）、一致している場合にはＢ室から送信される予約曲リストデータ送信要求信号（以下、要求信号と略称する）の受信を待機する。続いて、Ｂ室から要求信号がＡ室へ送信され（ステップ２２０）、Ａ室は、その要求信号を受信すると（ステップ３４０）、制御装置２０のＲＡＭ４６に記憶されている予約曲リストデータ（図１５（Ｂ））をＢ室へ送信する（ステップ３５０）。
【００４４】
続いて、その送信された予約曲リストデータは、Ｂ室により受信され（ステップ２３０）、ＲＡＭ４６に格納される（ステップ２４０）。続いて、図１６（Ａ）に示すように、モニタ１２，１４に「Ａ室の予約曲リストです。Ｂ室で歌いたい曲を送信器で選択してください。アップボタンを押すと予約曲リスト上のテロップが上に移動し、ダウンボタンを押すと下に移動します。テロップが歌いたい曲の上にかかったときに確定ボタンを押すと選択が確定します。最後にもう一度確定ボタンを押すと全部の選択が確定します。」という内容のメッセージ映像２０６と、Ａ室の予約曲リストデータ（図１５（Ａ）参照）を示す映像２０８とが表示される（ステップ２５０）。
【００４５】
そして、曲番号２２３３および曲番号１５５５の予約曲の選択が行われ（ステップ２６０）、確定ボタン８９が２回押されると（ステップ２７０）、選択された曲のリストを示す選択リストデータがＡ室へ送信され（ステップ２８０）、Ａ室は、その選択リストデータを受信すると（ステップ３６０）、図１６（Ｂ）に示すように、モニタ１２，１４に「次の曲をＢ室へ転送してもよろしいですか？」という内容のメッセージ映像２１０と、選択リストデータを示す選択リストデータ映像２１２と、上記転送を許可する場合に触れる「ＯＫ」という文字で構成されるソフトスイッチタイプのＯＫボタン２１４とが表示される（ステップ３７０）。
【００４６】
続いて、Ａ室にいる者が、上記ＯＫボタン２１４に触れると（ステップ３８０）、選択リストデータがＢ室へ送信され（ステップ３９０）、この送信された選択リストデータが、Ａ室の制御装置２０内のＲＡＭ４６に記憶されている予約曲リストデータから消去され（ステップ４００）、図１７（Ａ）に示すように、モニタ１２，１４に残りの予約曲リストを示す予約曲リスト映像２２０が表示される。上記送信された選択リストデータは、Ｂ室により受信され（ステップ２９０）、Ｂ室の制御装置２０内のＲＡＭ４６に格納され（ステップ３００）、図１７（Ｂ）に示すように、モニタ１２，１４に受信された曲番号２２３３および曲番号１５５５の予約曲リストが追加された新たな予約曲リスト映像２３０が表示される（ステップ３１０）。
【００４７】
このように、本実施形態のカラオケシステムによれば、Ａ室において曲の予約をした者が、Ｂ室へ移動した場合であっても、Ａ室で予約した曲をＢ室の予約曲リストに容易に追加することができる。
【００４８】
次に、Ｂ室でカラオケする場合のカラオケ装置１０の一連の動作について図１１のフローチャートを参照して説明する。
選曲が終了すると（ステップ１００）、ＲＡＭ４６に記憶されている予約曲リストデータの中の第１番目の曲番号データに対応する曲データの送信要求を示すリクエスト信号がサーバー５２へ送信される（ステップ１１０）。すると、サーバー５２は、自己のＨＤＤ１５から上記リクエスト信号に示される曲番号に対応する曲データを検索して読出し、その読出された曲データは、通信回線５を介して制御装置２０により受信され（ステップ１２０）、ＨＤＤ５１への一時保存が開始される。
【００４９】
続いて、曲データのＨＤＤ５１への保存が終了すると、ＨＤＤ５１から曲データが読出され、曲データに含まれる歌詞映像データは、映像制御回路６１に入力され、モニタ１２，１４に表示可能な歌詞映像信号に変換される。また、曲データには、曲のジャンルを特定するジャンルデータが含まれており、このジャンルデータに対応する背景映像データがＣＤ−ＲＯＭプレーヤ６０により読出されるとともに、映像制御回路６１に入力され、背景映像信号に変換される。
つまり、背景映像および歌詞映像は、図１６に示すように、背景映像２００の中に歌詞映像２０２がスーパーインポーズされる形で表示される。
【００５０】
また、曲データに含まれるＭＩＤＩデータは、シーケンサ５６に取り込まれ、タイマ５８のカウントにしたがってＭＩＤＩ音源５７に書き込まれる。ＭＩＤＩ音源５７から出力される音楽信号は、音声制御回路５５へ出力され、アンプ１６によって増幅可能な音楽信号に変換される。この変換された音楽信号は、音声出力端子４１からアンプ１６の音声入力端子１６ｊへ出力され、ミキシング回路１６ａに入力される。また、マイクロフォン１７，１８から入力された音声は、音声信号となってアンプ１６に内蔵されたエフェクタ回路１６ｅにおいてエコー、または、ディレイなどの効果が掛けられ、マイクミキシング回路１６ｂにより、上記音楽信号とミキシングされ、このミキシングされたミキシング信号は、増幅回路１６ｃにより増幅された後にスピーカ１１，１１、スピーカ１３，１３へ出力され、両スピーカによって音楽信号および音声信号が再生される（ステップ１３０）。
【００５１】
つまり、利用者は、自分の選んだ曲をモニタ１２，１４の画面に映し出された背景映像２００および歌詞映像２０２を見ながらマイクロフォン１７，１８を通して歌う（カラオケする）ことができる。
そして、予約曲リストデータがある場合には、予約曲の選曲番号データが読出され（ステップ１５０）、上記ステップ１１０ないしステップ１４０が繰り返される。
このように、Ａ室で予約した曲をＢ室で予約して歌うことができる。特に、大勢でカラオケＢＯＸへ行った場合に複数の部屋に分かれてカラオケする場合があり、そのような場合には、部屋間を行き来することが多くなる。このとき、自分の部屋で予約した曲を移動した部屋において歌うことができるため非常に便利である。
【００５２】
次に、Ｂ室の予約曲リストにより示される予約曲の再生順序を入れ替えるためのＣＰＵ４５の制御内容について図１３のフローチャートを参照して説明する。  まず、送信器７０の入替ボタン９０が押されると（ステップ３１１）、モニタ１２，１４に「送信器のアップボタン、または、ダウンボタンで移動したい曲の上にテロップを移動し、確定ボタンを押してください。次に、移動したい箇所へテロップを移動し、確定ボタンを押してください。」という内容のメッセージ映像を表示する（ステップ３１２）。
【００５３】
そして、２回目の確定ボタンが押されると（ステップ３１３）、上記確定ボタンにより選択した予約曲リストデータが上記指定した箇所へ移動され（ステップ３１４）、移動後の予約曲リストがモニタ１２，１４に表示される（ステップ３１５）。
このように、Ｂ室における予約曲の再生順序を入れ替えることができるため、Ａ室からＢ室に来た者をＢ室にいる者に優先して歌わせたり、後回しにしたりすることができる。
【００５４】
次に、Ａ室のカラオケ装置１０において設定された音程、エコー、ディレイおよび音量のレベルなどの再生状態をＢ室において自動的に再現して設定するためのＣＰＵ４５の制御内容について図１４のフローチャートを参照して説明する。
なお、Ａ室のカラオケ装置１０に設けられたアンプ１６内の再生順序情報記憶手段たるＲＡＭ１７９には、検出回路１６ｄからエフェクタ回路１６ｅ、音程制御回路１６ｆおよび増幅回路１６ｂへ出力されている制御信号のレベル、すなわち、アンプ１６の再生状態を示す再生状態データが記憶されている。
【００５５】
まず、ステップ３５０において、Ａ室の予約曲リストデータがＢ室へ送信される際に、ＲＡＭ１７９に記憶されている再生状態データが、ＣＰＵ１７８により読出され、入出力端子１６ｈから制御装置２０の入出力端子４２を介してＲＡＭ４８に格納された後にＬＡＮボード５４から通信端子４０、通信回線５を介してＢ室の制御装置２０へ送信される（ステップ３５２）。この送信された再生状態データは、Ｂ室により受信され（ステップ２３２）、ＲＡＭ４８に格納される（ステップ２４２）。
【００５６】
そして、上記ステップ３１０において、モニタ１２，１４への予約曲リストを示す映像が表示された後に、モニタ１２，１４に「Ａ室のカラオケ装置に設定されていた音程、エコー、ディレイ、音量のレベルをＢ室で再現することができます。再現する場合は、送信器の再現ボタンを押してください。」と表示する（ステップ３１６）。続いて、所定時間内に再現ボタン９１が押されると（ステップ３１７）、ＲＡＭ４８から再生状態データが読出され（ステップ３１８）、入出力端子４２からアンプ１６の入出力端子１６ｈを介してＲＡＭ１７９に記憶される。続いて、ＣＰＵ１７８からスイッチＯＦＦ信号がスイッチ１８０へ出力され、スイッチ１８０がＯＦＦする。
つまり、このスイッチ１８０のＯＦＦにより、つまみおよびレバー１６２ないし１７５と制御回路１６ｄとが非接続状態となり、つまみおよびレバー１６２ないし１７５によって音程、エコー、ディレイおよび音量の調整ができなくなる。
【００５７】
続いて、ＲＡＭ１７９から再生状態データが読出されるとともに、制御回路１６ｄに出力され、この読出された再生状態データに対応するレベルを有する制御信号がエフェクタ回路１６ｅ、ミキシング回路１６ａ、音程制御回路１６ｆおよび増幅回路１６ｂへ出力され、これら回路が上記制御信号により示されるレベルに制御される。
つまり、Ｂ室のアンプ１６の再生状態は、Ａ室のアンプ１６の再生状態と同じになる。
このように、Ａ室で歌っていたときの音程、エコー、ディレイおよび音量のレベルをＢ室において自動的に設定することができるため、非常に便利であり、前に歌った部屋と違和感なく歌うことができる。
【００５８】
なお、曲の再生が終了するか、もしくは、再生中につまみおよびレバー１６２ないし１７５のうちのいずれかを操作すると、アンプ１６内のＣＰＵ１７８からスイッチＯＮ信号がスイッチ１８０へ出力され、スイッチ１８０がＯＮし、つまみおよびレバー１６２ないし１７５により制御できる状態になる。
また、つまみおよびレバー１６２ないし１７５が、モータやリレースイッチなどにより駆動されるものである場合は、それらモータの回転量やリレースイッチのＯＮ，ＯＦＦ状態がＲＡＭ１７９に記憶され、その記憶内容にしたがって制御回路１６ｄから制御信号が、モータやリレースイッチへ出力される。
【００５９】
上記実施形態では、Ｂ室で選択した曲を示す選択曲リストデータをＡ室へ送信し、Ａ室のモニタにその選択曲リストを表示することにより、Ａ室にいる者に選択曲リストデータのＢ室への送信の確認と、その選択曲リストデータをＡ室の予約曲リストデータから消去することの確認とを採るステップを説明したが、これらのステップを省略し、Ｂ室で選択した時点で選択曲リストデータがＡ室の予約曲リストデータから消去されるように構成することもできる。
また、送信器７０、または、制御装置２０に部屋番号ＡないしＪを示す部屋番号ボタンを設け、この部屋番号ボタンを押すと、その部屋番号ボタンにより示される部屋のＩＤコードデータを有する要求信号が、その部屋番号ボタンにより示される部屋番号の部屋へ送信され、その部屋の予約曲リストデータを受信できるように構成することもできる。
【００６０】
ところで、ＣＰＵ４５により実行されるステップ２１０が、請求項１の要求側第１送信処理に、ステップ２２０が要求側第２送信処理に、ステップ２３０が要求側第１受信処理に、ステップ２５０が要求側第１表示処理に、ステップ２８０が要求側第３送信処理に、ステップ２９０が要求側第２受信処理に、ステップ３００が要求側記憶処理に、ステップ３１０が要求側第２表示処理にそれぞれ対応する。
また、ステップ３２０が応答側第１受信処理に、ステップ３３０が応答側第１判定処理に、ステップ３４０が応答側第２受信処理に、ステップ３５０が応答側第１送信処理に、ステップ３６０が応答側第３受信処理に、ステップ３７０が応答側表示処理に、ステップ３８０が応答側第２判定処理に、ステップ３９０が応答側第２送信処理にそれぞれ対応する。
さらに、ステップ４００が請求項２の応答側消去処理に対応する。さらに、つまみおよびレバー１６２ないし１７５と、制御回路１６ｄとが、請求項３の再生状態調整手段に相当する。そして、ステップ３５２が請求項３の応答側第３送信処理に、ステップ２３２が要求側第３受信処理に、ステップ３１７が要求側判定処理に、ステップ３１９が要求側再生状態変更処理にそれぞれ対応する。
【００６１】
【発明の効果】
以上のように、本発明によれば、ある部屋のカラオケ装置で予約した曲を他の部屋のカラオケ装置で選曲し直すことなく再生できるカラオケシステムを実現することができる。
特に、上記ある部屋のカラオケ装置に記憶されている予約曲リストデータを他の部屋のカラオケ装置へ送信する場合、上記他の部屋から上記ある部屋へ送信されるＩＤコードが予め上記ある部屋のカラオケ装置に設定されたＩＤコードであると判定された場合に、上記ある部屋のカラオケ装置が、自身の予約曲リストデータを上記他の部屋のカラオケ装置へ送信するようにすることができる。
従って、誤って上記ある部屋以外のカラオケ装置に記憶された予約リストデータが、上記他の部屋のカラオケ装置へ転送されるのを防止することができる。
また、上記他の部屋のカラオケ装置には、上記ある部屋のカラオケ装置から送信された予約曲リストデータにより示される予約曲リストを表示するモニタが備えられているため、他の部屋へ移動する前に上記ある部屋において予約していた予約曲を知ることができる。
さらに、上記ある部屋のカラオケ装置（応答側）に備えられた送信器には、上記ある部屋のカラオケ装置（応答側）から送信され、上記他の部屋のモニタに表示された予約曲リストのうち、上記他の部屋のカラオケ装置（要求側）に再生させる予約曲を選択することができる。また、上記他の部屋のカラオケ装置（要求側）は、上記選択した予約曲を、自身の予約曲リストに追加して記憶することができる。
従って、上記ある部屋のカラオケ装置において予約していた予約曲の中から選択した予約曲を上記他の部屋のカラオケ装置によってカラオケすることができる。
【図面の簡単な説明】
【図１】  本発明実施形態のカラオケシステムの主要構成を示すブロック図である。
【図２】  本発明実施形態のカラオケシステムに用いられるカラオケ装置の外観説明図である。
【図３】  （Ａ）は、カラオケ装置に備えられた制御装置の前面パネルの説明図であり、（Ｂ）は、制御装置の背面パネルの説明図である。
【図４】  制御装置の制御系の構成を示すブロック図である。
【図５】  アンプの外観説明図である。
【図６】  アンプの主要内部構成を示すブロック図である。
【図７】  送信器の表明の外観説明図である。
【図８】  送信器の裏面の外観説明図である。
【図９】  送信器の主要内部構成を示すブロック図である。
【図１０】  送信器から送信される送信信号の説明図である。
【図１１】  ＣＰＵ４５の主要制御内容を示すフローチャートである。
【図１２】  右側のフローチャートは、Ａ室のＣＰＵ４５の制御内容を示し、左側のフローチャートは、Ｂ室のＣＰＵ４５の主要制御内容を示す。
【図１３】  予約曲の再生順序を入れ替える場合のＣＰＵ４５の制御内容を示すフローチャートである。
【図１４】  Ａ室のアンプの再生状態をＢ室のアンプで再現する場合のＣＰＵ４５の制御内容を示すフローチャートである。
【図１５】  （Ａ）は、Ａ室の予約曲リストの説明図であり、（Ｂ）は、Ｂ室の予約曲リストの説明図である。
【図１６】  （Ａ）は、Ｂ室のモニタの表示内容を示す説明図であり、（Ｂ）は、Ａ室のモニタの表示内容を示す説明図である。
【図１７】  （Ａ）は、Ａ室のモニタに表示された予約曲リスト映像を示す説明図であり、（Ｂ）は、Ｂ室のモニタに表示された予約曲リスト映像を示す説明図である。
【符号の説明】
１０          カラオケ装置
１１，１３    スピーカ
１２，１４    モニタ
１６          アンプ
１７，１８    マイクロフォン
２０          制御装置
４５          ＣＰＵ
５１          ＨＤＤ
５２          サーバー
５            通信回線
６０          ＣＤ−ＲＯＭプレーヤ
７０          送信器
【図１】
0003884799.tif 000002
【図２】
0003884799.tif 000003
【図３】
0003884799.tif 000004
【図４】
0003884799.tif 000005
【図５】
0003884799.tif 000006
【図６】
0003884799.tif 000007
【図７】
0003884799.tif 000008
【図８】
0003884799.tif 000009
【図９】
0003884799.tif 000010
【図１０】
0003884799.tif 000011
【図１１】
0003884799.tif 000012
【図１２】
0003884799.tif 000013
【図１３】
0003884799.tif 000014
【図１４】
0003884799.tif 000015
【図１５】
0003884799.tif 000016
【図１６】
0003884799.tif 000017
【図１７】
0003884799.tif 000018